(57)【要約】【課題】  患者情報の閲覧を許可された医療従事者の生体情報をいちいち削除することなく、病院を退職した医療従事者が患者情報を閲覧できないようにする。【解決手段】  医療従事者名と医療従事者の生体情報とを関連付けて生体情報記憶部４に記憶し、制御部２は、生体情報読み取り部５による生体情報の読み取り間隔が所定時間以上である医療従事者名とその生体情報とを生態情報記憶部４から削除するようにしているので、退職した医療従事者の識別情報及び生体情報が生体情報記憶部４から自動的に消去され、医療従事者の識別情報及び生体情報をいちいち削除することなく、病院を退職した医療従事者が患者情報を閲覧できないようにすることができ、生体情報の管理者に負担をかけることなく、患者のプライバシーを保護することができる。【選択図】        図１
2007143842.tif 000002
【特許請求の範囲】
【請求項１】
患者情報を記憶する患者情報記憶部と、
医療従事者を識別するための医療従事者識別情報と前記医療従事者の生体情報とを関連付けて記憶する生体情報記憶部と、
生体情報を読み取る生体情報読み取り部と、
前記生体情報読み取り部によって読み取られた生体情報が前記生体情報記憶部に記憶されている場合に、前記患者情報記憶部から前記患者情報を抽出する制御部と、
前記制御部によって抽出された患者情報を表示させる表示制御部と、
前記生体情報記憶部に記憶されている生体情報が前記生体情報読み取り部によって読み取られた期間の間隔を前記医療従事者識別情報毎に調べる読み取り間隔判定部と、
前記間隔が所定期間以上であると前記読み取り間隔判定部により判定された医療従事者識別情報及び前記医療従事者情報に関連付けて記憶されている生体情報を前記生体情報記憶部から削除する生体情報削除部と、
を備えたナースコール装置。
【発明の詳細な説明】
【技術分野】
【０００１】
本発明は、病院などで患者からの要求に応じて看護師などを呼出すナースコール装置に関する。
【背景技術】
【０００２】
従来、ナースコール装置では、患者の近辺（例えば、ベッド近傍など）に設置されたナースコール子機及び看護師の居る部屋などに設置されたナースコール親機を有線や無線などにより接続している。また、ナースコール子機とナースコール親機との間には廊下灯が接続されている。
【０００３】
ここで、廊下灯は、病室などの部屋の出入口近傍の外側の壁面に取り付けられている。また、廊下灯は、病室の番号や患者の氏名などを表示している。また、廊下灯は、ナースコール親機と連動しており、ベッド近傍に設置されたナースコール子機により患者などが呼出しを行うと、ナースコール子機は、ナースコール親機や看護師などが携帯する無線端末装置に呼出しを通知すると共に、廊下灯を点灯させる。また、看護師などは、廊下灯の点灯によって、呼出しを行った患者などが居る部屋を特定することができる。
【０００４】
ところで、患者の氏名などの患者情報について、プライバシー保護の観点から改善の要望がある。これに対して、看護師や医師（以下、医療従事者と記載する）の指紋をパスワードとして患者情報を閲覧できる技術が知られている（例えば、特許文献１など）。
【特許文献１】特開２００４−２０１１１４号公報
【０００５】
しかしながら、この特許文献１に記載の技術では、医療従事者が病院を退職した場合でも、登録されている指紋の情報を削除しないと、病院を退職した医療従事者は、患者情報を閲覧することができてしまうという問題点があった。また、登録されている指紋の情報をいちいち削除するのは面倒であるという問題点があった。
【発明の開示】
【発明が解決しようとする課題】
【０００６】
本発明は、このような問題を解決するために成されたものであり、患者情報の閲覧を許可された医療従事者の生体情報をいちいち削除することなく、病院を退職した医療従事者が患者情報を閲覧できないようにすることを目的とする。
【課題を解決するための手段】
【０００７】
上述した課題を解決するために、本発明では、医療従事者名と医療従事者の生体情報とを関連付けて生体情報記憶部に記憶し、生体情報の読み取り間隔が所定時間以上である医療従事者名とその生体情報とを生態情報記憶部から削除するようにしている。
【発明の効果】
【０００８】
上記のように構成した本発明によれば、退職した医療従事者の生体情報が生体情報記憶部から自動的に消去されるので、患者情報の閲覧を許可された医療従事者の生体情報をいちいち削除することなく、病院を退職した医療従事者が患者情報を閲覧できないようにすることができる。従って、生体情報の管理者に負担をかけることなく、患者のプライバシーを保護することができる。
【発明を実施するための最良の形態】
【０００９】
以下、本発明の一実施形態を図面に基づいて説明する。図１は、本実施形態によるナースコール装置の構成例を示すブロック図である。図１に示すように、本実施形態によるナースコール装置は、ナースコール親機１及び廊下灯１０を備えて構成されている。
【００１０】
また、ナースコール親機１は、制御部２、患者情報記憶部３、生体情報記憶部４、生体情報読み取り部５、カレンダー部６、データ送受信部７、表示制御部８、ディスプレイ９を備えて構成されている。また、廊下灯１０は、廊下灯制御部１１、廊下灯データ送受信部１２、廊下灯生体情報読み取り部１３、廊下灯表示制御部１４、廊下灯ディスプレイ１５を備えて構成されている。ここで、制御部２は、特許請求の範囲の制御部、生体情報削除部に該当し、制御部２及びカレンダー部６は、特許請求の範囲の間隔判定部に該当する。
【００１１】
図１において、ナースコール親機１は、医療従事者が在室するナースステーションなどに設置されており、伝送線を介して廊下灯１０に接続されている。廊下灯１０は、各部屋毎に設けられており、各部屋の出入口近傍の外側の壁面などに取り付けられている。また、廊下灯１０は、伝送線を介してナースコール親機１に接続されている。ここで、複数の廊下灯１０は、一つのナースコール親機１に対して識別可能に接続されている。
【００１２】
制御部２は、ナースコール親機１の各構成要素を後述するように制御する。患者情報記憶部３は、患者の氏名、住所、年齢、及び性別などの個人情報や患者の身長、体重、診療科、主治医などの診療情報を患者毎に識別可能に記憶する。生体情報記憶部４は、周知の手法により読み取られた生体情報や生体情報の特徴量と、それに対応する医療従事者名情報とを関連付けて記憶する。なお、本実施形態では、生体情報記憶部４は、医療従事者名情報と関連付けて生体情報を記憶しているが、これに限定されない。例えば、医療従事者識別番号などの医療従事者を識別できるものであれば何でも良い。
【００１３】
生体情報読み取り部５は、個人毎に異なる生態情報を読み取るものであり、読み取った生体情報を制御部２に出力する。ここで、生体情報としては、指紋の特徴点（分岐・端点など）、判別、指などの静脈の形状、掌の大きさや形状、顔の輪郭や目・鼻の位置、目の虹彩の紋様、眼底の網膜の形状、声紋などが用いられる。
【００１４】
カレンダー部６は、現在の年月日をカウントする。データ送受信部７は、廊下灯１０との間でデータの送受信を行う。
【００１５】
まず、病院では、生体情報読み取り部５を用いて、医療従事者の生体情報を読み取ると共に、図示しないデータ入力部などで医療従事者名を入力する。制御部２は、生体情報読み取り部５により読み取られた生体情報とデータ入力部で入力された医療従事者名情報とを関連付けて生体情報記憶部４に記憶する。また、制御部２は、現在の年月日を示す年月日情報をカレンダー部６より読み出して入力された医療従事者名情報に関連付けて記憶する。このようなデータ入力は、新しい医療従事者が加わる度に行われる。
【００１６】
医療従事者などが患者情報を閲覧する場合には、生体情報読み取り部５により生体情報を読み取る。制御部２は、生体情報読み取り部５により読み取られた生体情報と生体情報記憶部４に記憶されている生体情報とを比較する。そして、一致する生体情報が生体情報記憶部４に記憶されていると制御部２にて判断した場合には、制御部２は、カレンダー部６より年月日情報を読み出して、該当する医療従事者名情報に関連付けて最終アクセス日として生体情報記憶部４に記憶する。ここで、制御部２は、生体情報記憶部４に既に記憶されている年月日情報を更新して記憶する。また、制御部２は、医療従事者が所望する患者情報を患者情報記憶部３から読み出して表示制御部８に出力する。表示制御部８は、入力した患者情報をディスプレイ９に表示する。
【００１７】
一方、制御部２は、医療従事者名情報に関連付けられて生体情報記憶部４に記憶されている最終アクセス日（年月日情報）を常に監視している。また、制御部２は、カレンダー部６の年月日情報による現在の年月日と最終アクセス日とを比較して、その間隔が所定期間（例えば１０日など）以上であるか否かを判定する。換言すると、アクセスされていない期間が所定期間以上であるか否かを判定する。そして、制御部２は、所定期間以上である医療従事者名情報及び生体情報を生体情報記憶部４から削除する。
【００１８】
例えば、図２（ａ）に示すように、現在の年月日が２００５年１０月１１日である場合には、最終アクセス日が２００５年１０月２日である医療従事者名Ａのデータ、最終アクセス日が２００５年１０月１１日である医療従事者Ｂのデータ、最終アクセス日が２００５年１０月１２日である医療従事者Ｃのデータが生体情報記憶部４に記憶されている。
【００１９】
そして、図２（ｂ）に示すように、現在の年月日が２００５年１０月１２日になると、最終アクセス日が２００５年１０月２日である医療従事者Ａのデータが生体情報記憶部４から削除される。
【００２０】
なお、前述した本実施形態では、医療従事者などが患者情報を閲覧する場合に、ナースコール親機１を用いているが、これに限定されない。例えば、廊下灯やナースコール子機と共に用いられるベッドサイド端末などであっても良い。具体的には、医療従事者などが患者情報を閲覧する場合には、廊下灯生体情報読み取り部１３により生体情報を読み取る。廊下灯制御部１１は、廊下灯生体情報読み取り部１３により読み取られた生体情報を廊下灯データ送受信部１２によりナースコール親機１に送信する。ここで、廊下灯データ送受信部１２により送信される生体情報には、廊下灯１０を識別するための廊下灯識別情報が含まれている。
【００２１】
ナースコール親機１では、データ送受信部７により廊下灯より送信された生体情報を受信する。制御部２は、データ送受信部７から生体情報を入力し、その生体情報と生体情報記憶部４に記憶されている生体情報とを比較する。そして、一致する生体情報が生体情報記憶部４に記憶されていると制御部２にて判断した場合には、制御部２は、カレンダー部６より年月日情報を読み出して、該当する医療従事者名情報に関連付けて最終アクセス日として生体情報記憶部４に記憶する。ここで、制御部２は、生体情報記憶部４に既に記憶されている年月日情報を更新して記憶する。また、制御部２は、生体情報に含まれる廊下灯識別情報により、廊下灯１０が管理する患者（廊下灯１０が設置されている部屋に在室する患者）を特定する。そして、特定された患者の患者情報を患者情報記憶部３から読み出してデータ送受信部７により廊下灯１０に送信する。
【００２２】
廊下灯１０では、廊下灯データ送受信部１２により患者情報を受信する。廊下灯制御部１１は、廊下灯データ送受信部１２が受信した患者情報を廊下灯表示制御部１４に出力する。廊下灯表示制御部１４は、入力した患者情報を廊下灯ディスプレイ１５に表示する。
【００２３】
一方、制御部２は、医療従事者名情報に関連付けられて生体情報記憶部４に記憶されている最終アクセス日（年月日情報）を常に監視している。また、制御部２は、カレンダー部６の年月日情報による現在の年月日と最終アクセス日とを比較して、その間隔が所定期間以上であるか否かを判定する。そして、制御部２は、所定期間以上である医療従事者名情報及び生体情報を生体情報記憶部４から削除する。
【００２４】
次に、本実施形態によるナースコール装置の動作及び医療従事者管理方法を説明する。図３は、本実施形態によるナースコール装置の動作及び医療従事者管理方法を示すフローチャートである。まず、生体情報記憶部４に記憶されている各医療従事者名情報に関連付けて記憶されている最終アクセス日情報とカレンダー部６によりカウントされている現在年月日情報との間隔が所定期間以上のデータが存在するか否かを制御部２にて調べる（ステップＳ１）。最終アクセス日と現在年月日との間隔が所定期間以上であるデータが存在すると制御部２にて判断した場合には（ステップＳ１にてＹＥＳ）、制御部２は、該当する医療従事者名情報及び生体情報を生体情報記憶部４から削除する（ステップＳ２）。
【００２５】
一方、最終アクセス日と現在年月日との間隔が所定期間以上であるデータが存在しないと制御部２にて判断した場合には（ステップＳ１にてＮＯ）、制御部２は、生体情報読み取り部５にて生体情報を読み取ったか否かを調べる（ステップＳ３）。生体情報読み取り部５にて生体情報を読み取っていないと制御部２にて判断した場合には（ステップＳ３にてＮＯ）、ステップＳ１の処理に戻る。一方、生体情報読み取り部５にて生体情報を読み取ったと制御部２にて判断した場合には（ステップＳ３にてＹＥＳ）、制御部２は、生体情報記憶部４に該当する生体情報が記憶されているか否か、換言すると該当する医療従事者名が存在するか否かを調べる（ステップＳ４）。
【００２６】
該当する医療従事者名が存在しないと制御部２にて判断した場合には（ステップＳ４にてＮＯ）、制御部２は、患者情報記憶部３から患者情報を抽出せず、表示制御部８は、ディスプレイ９に患者情報を表示しない（ステップＳ５）。ここで、表示制御部８は、「患者情報を表示することができません」などのメッセージをディスプレイ９に表示するようにしても良い。そして、ステップＳ１の処理に戻る。
【００２７】
一方、該当する医療従事者名が存在すると制御部２にて判断した場合には（ステップＳ４にてＹＥＳ）、制御部２は、患者情報記憶部３から患者情報を抽出すると共に、現在年月日情報をカレンダー部６から読み出して、医療従事者名情報に関連付けて記憶されている最終アクセス日情報を生体情報記憶部４に更新して記憶する（ステップＳ６）。そして、表示制御部８は、制御部２により抽出された患者情報をディスプレイ９に表示する（ステップＳ７）。
【００２８】
以上詳しく説明したように、本実施形態によれば、医療従事者名と医療従事者の生体情報とを関連付けて生体情報記憶部４に記憶し、制御部２は、生体情報読み取り部５による生体情報の読み取り間隔が所定時間以上である医療従事者名とその生体情報とを生態情報記憶部４から削除するようにしている。これにより、退職した医療従事者の識別情報及び生体情報が生体情報記憶部４から自動的に消去されるので、医療従事者の識別情報及び生体情報をいちいち削除することなく、病院を退職した医療従事者が患者情報を閲覧できないようにすることができる。従って、生体情報の管理者に負担をかけることなく、患者のプライバシーを保護することができる。
【００２９】
なお、前述した実施形態では、患者情報記憶部３と生体情報記憶部４とを異なる構成要素としているが、これに限定されない。例えば、患者情報記憶部３と生体情報記憶部４とを同一の記憶装置としても良い。
【００３０】
また、前述した実施形態では、生体情報記憶部４に記憶された生体情報が生体情報読み取り部５により読み取られる間隔を医療従事者名情報に関連付けて記憶される最終アクセス日情報とカレンダー部６によりカウントされる現在年月日情報とにより制御部２は調べているが、これに限定されない。例えば、カレンダー部６の代わりに時間をカウントするカウント部を設け、カウント部によりカウントされる値を医療従事者名情報に関連付けて記憶するようにしても良い。
【００３１】
また、前述した実施形態では、制御部２は、最終アクセス日と現在年月日との間隔が所定期間以上のデータがあるか否かを調べた後に、生体情報読み取り部５が生体情報を読み取ったか否かを調べるようにしているが、これに限定されない。例えば、制御部２は、生体情報読み取り部５により読み取られた生体情報に該当する医療従事者名が存在するか否かを調べた後に、最終アクセス日と現在年月日との間隔が所定期間以上のデータがあるか否かを調べるようにしても良い。
【００３２】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３３】
本発明は、病院などで患者が医療従事者を呼出すナースコール装置に有用であり、特に、
医療従事者が患者情報を閲覧するナースコール親機や廊下灯などに有用である。
【図面の簡単な説明】
【００３４】
【図１】本実施形態によるナースコール装置の構成例を示すブロック図である。
【図２】本実施形態によるナースコール装置による生体情報記憶部のデータの削除の様子を示す図である。
【図３】本実施形態によるナースコール装置の動作及び医療従事者管理方法を示すフローチャートである。
【符号の説明】
【００３５】
１    ナースコール親機
２    制御部
３    患者情報記憶部
４    生体情報記憶部
５    生体情報読み取り部
６    カレンダー部
７    データ送受信部
８    表示制御部
９    ディスプレイ
１０    廊下灯
１１    廊下灯制御部
１２    廊下灯データ送受信部
１３    廊下灯生体情報読み取り部
１４    廊下灯表示制御部
１５    廊下灯ディスプレイ
【図１】
2007143842.tif 000003
【図２】
2007143842.tif 000004
【図３】
2007143842.tif 000005